(57)【要約】【課題】ピンチハンガーを折りたたんだ状態で収納してもピンチ同士が絡み合うことがなく、外観的に見栄え良く収納することができるピンチハンガーの収納具を提供する。【解決手段】２つ折り可能なピンチハンガー５０を収納するための収納具１であって、ピンチハンガー５０の折り曲げ部分を挟んで左右に位置するピンチ５２を仕切る仕切り板３０を備える。また、ピンチハンガー５０を折りたたんだ状態で、ピンチハンガー５０の左右の側部を覆う側部カバー１０と、側部カバー１０の下端部を折り曲げ可能に繋ぐ底面カバー２０を備え、底面カバー２０に仕切り板３０を取り付けた。【選択図】図５
0003199651.tif 000002
【実用新案登録請求の範囲】
【請求項１】
２つ折り可能なピンチハンガーを収納するための収納具であって、
前記ピンチハンガーの折り曲げ部分を挟んで左右に位置するピンチを仕切る仕切り板を備えたことを特徴とするピンチハンガーの収納具。
【請求項２】
ピンチハンガーを折りたたんだ状態で、ピンチハンガーの左右の側部を覆う側部カバーと、前記側部カバーの下端部を折り曲げ可能に繋ぐ底面カバーを備え、前記底面カバーに前記仕切り板を取り付けたことを特徴とする請求項１に記載のピンチハンガーの収納具。
【考案の詳細な説明】
【技術分野】
【０００１】
本考案は、洗濯物を干す際に使用されるピンチハンガーを収容するための収納具に関する。
【背景技術】
【０００２】
洗濯物を干す際に使用されるピンチハンガー（ランドリーハンガー、ワイヤー角ハンガーなどともいう）は、現在、一般家庭で普通に使用されている。このピンチハンガーは、折りたたみ式のハンガー本体と、このハンガー本体の枠に沿って吊り下げられた複数のピンチ（洗濯ばさみ）と、ハンガー本体を物干し竿等に吊り下げるためのフックとで構成されている。
【０００３】
このようなピンチハンガーは、ベランダ等に無造作に置いておくと汚れてしまい、ピンチ部分などの複雑な部分の清掃が面倒になる。また冬場などには、プラスチック製のピンチが寒さで割れやすくなってしまうため、一般的には家の中に入れて収納している。
【０００４】
しかしながら、そのまま折り畳んで部屋に置いておくだけでは見栄えが悪い。そのため、大きな袋に１つ或いは複数のピンチハンガーを折りたたんで入れておき、不意なお客様が来ても見栄えが悪くならないようにする方法もある（例えば、特許文献１参照）。
【先行技術文献】
【特許文献】
【０００５】
【特許文献１】特開２０１１−２４９９１号公報
【考案の概要】
【考案が解決しようとする課題】
【０００６】
ピンチハンガーを折りたたんで袋などに入れて収納しようとすると、折りたたんだときに対向するピンチ同士が絡まってしまうことがある。そのため、ピンチハンガーを開いて使用する際に、絡まったピンチの１つ１つを外さなければならず、その手間が非常に煩わしい。
【０００７】
本考案は、上述した事情を鑑みてなされたものであり、ピンチハンガーを折りたたんだ状態で収納してもピンチ同士が絡み合うことがなく、外観的に見栄え良く収納することができるピンチハンガーの収納具を提供するためのものである。
【課題を解決するための手段】
【０００８】
上述課題を解決するため、２つ折り可能なピンチハンガーを収納するための収納具であって、前記ピンチハンガーの折り曲げ部分を挟んで左右に位置するピンチを仕切る仕切り板を備えたことを特徴とする。
【０００９】
また、ピンチハンガーを折りたたんだ状態で、ピンチハンガーの左右の側部を覆う側部カバーと、前記側部カバーの下端部を折り曲げ可能に繋ぐ底面カバーを備え、前記底面カバーに前記仕切り板を取り付けるようにしてもよい。
【考案の効果】
【００１０】
本考案によれば、ピンチハンガーの折り曲げ部分を挟んで左右に位置するピンチを仕切る仕切り板を備えているので、ピンチハンガーを折り曲げて収納したとしても左右のピンチ同士が絡まることがない。そのため、ピンチハンガーを使用するときに、容易に開いて使用することができる。
【００１１】
また、ピンチハンガーを折りたたんだ状態で、ピンチハンガーの左右の側部を覆う側部カバーと、側部カバーの下端部を折り曲げ可能に繋ぐ底面カバーを備え、底面カバーに仕切り板を取り付けているので、ピンチハンガー」を収納する際に見栄えよくすることができるとともに、持ち運びを容易に行うことができる。また、２つ以上のピンチハンガーを重ねて置いて保管する場合であっても、他のピンチハンガーのピンチと絡まってしまうことを防止することができる。
【図面の簡単な説明】
【００１２】
【図１】本考案の実施の形態に係るピンチハンガーの収納具の斜視図である。
【図２】図１の収納具の側部カバーを広げた状態を示す斜視図である。
【図３】図１の収納具を平面状に折りたたんだ状態を示す斜視図である。
【図４】ピンチハンガーの概要図である。
【図５】ピンチハンガーを収納具内に納める状態を示す斜視図である。
【考案を実施するための形態】
【００１３】
以下、本考案の実施形態に係るピンチハンガーの収納具１（以下、収納具１という）について、図１および図２を用いて説明する。
【００１４】
収納具１は、図１および図２に示すように、両側に位置する側部カバー１０と、これらの側部カバー１０の下端部を繋ぐ底部カバー２０と、底部カバー２０から上方に延在する仕切り板３０とで構成されている。これらの側部カバー１０、底部カバー２０および仕切り板３０は、平板状の樹脂材料を加工して形成されている。
【００１５】
側部カバー１０は、折りたたんだ状態のピンチハンガー５０（図４および図５参照）の側部の全体を覆う大きさに形成されている。この大きさは、一般的に流通しているピンチハンガー５０の大きさに合わせて決定される。また、側部カバー１０の形状は、図１では略矩形状に形成されているが、ピンチハンガー５０の全体を覆う大きさであれば他の形状（例えば、丸みを帯びた角形、楕円型、台形型など）であってもよく、デザイン性を考慮して決定することができる。
【００１６】
また、側部カバー１０の上側には、フック１１が設けられている。このフック１１は、例えば、家庭内にあるハンガー用の吊り下げ棒や、物干し竿などに引っ掛けて収納具１を吊り下げておくことができるようにしたものである。
【００１７】
底部カバー２０は、平板状に形成されており、両側の側部カバーの下端部をそれぞれ繋ぐ態様で構成されている。この底部カバー２０は、両側の側部カバー１０と一体に形成されており、折り曲げ溝Ｌに沿ってＲ方向（図２参照）に自由に折り曲げることができるようになっている。これにより、収納具１は、図１の状態から図２の状態（または逆）に、容易に展開することができる。
【００１８】
なお、底部カバー２０と側部カバー１０をそれぞれ別体にして構成することもできる。この場合、折り曲げ溝Ｌを設ける替わりに、蝶番（ヒンジ）を設けてＲ方向に折り曲げることができるようにすればよい。
【００１９】
仕切り板３０は、図２に示すように、略矩形状の平板を断面Ｌ字形状に折り曲げて形成されており、底部３１と起立部３２とで構成されている。底部３１は、接着或いは溶着などの一般的接続手段によって底部カバー２０に取り付けられている。この底部３１と起立部３２についても折り曲げ溝Ｌに沿って自由に折り曲げられるようになっている。
【００２０】
このような収納具１は、図３に示すように、平面状に折りたたむことができるので、収納具１を使用しないで保管しておく場合にもかさばらず、小さな収納スペースで保管することができる。
【００２１】
ここで、一般的なピンチハンガー５０について、図４を用いて説明する。ピンチハンガー５０は、全体の枠組みを構成するハンガー本体５１と、このハンガー本体５１の枠に沿って吊り下げられた複数のピンチ５２と、ハンガー本体５０を物干し竿等に吊り下げるためのフック５３とで構成されている。ハンガー本体５１は、回転軸５４（ピンチハンガーの折り曲げ部分）を中心にしてＳ方向へそれぞれ折り曲げることができるようになっており、これにより、図４の状態から２つ折りにたたむことができる。その際、回転軸５４を挟んで対向するピンチ５２同士が絡まってしまうことがあり、ハンガー本体５１を再び容易に開くことができない場合がある。
【００２２】
次に、本考案に係るピンチハンガーの収納具１の作用について図５を用いて説明する。
収納具１は、左右の側部カバー１０をそれぞれ開いた状態で、仕切り板３０を起立させておく。そして、ピンチハンガー５０を開いた状態で、回転軸５４が仕切り板３０の上に位置するようにしてセットする（図５の状態）。この状態では、左側および右側のピンチ同士は仕切り板３０によって仕切られる。
【００２３】
図５の状態から、ピンチハンガー５０を２つ折りにして折りたたむ。そして左右の側部カバー１０をそれぞれ起立した状態（図１の状態）に折り曲げる。これにより、左右のハンガー本体５１はそれぞれの収納空間Ｓ１（図１参照）に収納される。
【００２４】
このようにしてピンチハンガー５０を収納した収納具１は、フック１１を物干し竿などに吊り下げて保管するようにしてもよく、押し入れや洗面所の近くの隙間スペースに立てた状態で、或いは横にした状態で置くようにしてもよい。
【００２５】
一方、ピンチハンガー５０を使用するときには、逆の手順でピンチハンガー５０を取り出して開く。或いは、収納空間Ｓ１からピンチハンガー５０を横方向に引き出して取り出すこともできる。このとき、左側および右側のピンチ５２は、仕切り板３０によって完全に仕切られているので、絡まっている状態にはならない。そのため、ピンチハンガー５０を２つ折りの状態から容易に開くことができる。
【００２６】
本考案の実施形態に係るピンチハンガーの収納具１によれば、ピンチハンガー５０の折り曲げ部分（回転軸５４）を挟んで左右に位置するピンチ５２を仕切る仕切り板３０を備えているので、ピンチハンガー５０を折り曲げて収納したとしても左右のピンチ５２同士が絡まることがない。そのため、ピンチハンガー５０を使用するときに、容易に開いて使用することができる。
【００２７】
また、ピンチハンガー５０を折りたたんだ状態で、ピンチハンガー５０の左右の側部を覆う側部カバー１０と、側部カバー１０の下端部を折り曲げ可能に繋ぐ底面カバー２０を備え、底面カバー２０に仕切り板３０を取り付けているので、ピンチハンガー５０を収納する際に見栄えよくすることができるとともに、持ち運びを容易に行うことができる。また、２つ以上のピンチハンガー５０を重ねて置いて保管するような場合であっても、他のピンチハンガー５０のピンチ５２と絡まってしまうことを防止することができる。
【００２８】
以上、本考案の実施形態に係るピンチハンガーの収納具１について述べたが、本考案は既述の実施形態に限定されるものではなく、本考案の技術思想に基づいて各種の変形および変更が可能である。
例えば、本実施の形態では、側部カバー１０、底部カバー２０、仕切り板３０を樹脂材料で製作しているが、これに限定されない。例えば、段ボールのような紙の素材を用いて製作することもできる。これによれば、加工がしやすく、より低コストな収納具１を得ることができる。
【００２９】
また、側面カバー１０の外面に、模様や絵柄などのデザインを施してあってもよい。これにより、他人の目に触れられるような場所に保管していたとしても、外観的に見栄えが悪くならない。
【００３０】
さらに、本実施の形態では、側部カバー１０、底部カバー２０などを備えているが、必須のものではない。例えば、仕切り板３０のみを用いて左右を仕切るようにし、ピンチハンガーを大きな袋などにそのまま入れて保管するようにしてもよい。すなわち、左右のピンチ５２が絡まないように仕切り板を設けるようにする以外の態様は、適宜変形して実施することができる。
【００３１】
他方、左右の側面カバー１０の外面下側に、この収納具１を引っ掛ける突起（図示せず）をそれぞれ設けるようにしてもよい。すなわち、物干し竿等に収納具１を吊り下げた後に、この突起を利用してさらにその下側に収納具１を吊り下げることができるようになる。そのため、下側に収納スペースがある場合には、このように上下に２個或いは３個以上の複数の収納具１を直列に吊り下げるようにして収納することができる。
【符号の説明】
【００３２】
１  ピンチハンガーの収納具
１０  側部カバー
１１  フック
２０  底部カバー
３０  仕切り板
３１  底部
３２  起立部
５０  ピンチハンガー
５１  ハンガー本体
５２  ピンチ
５３  フック
５４  回転軸（ピンチハンガーの折り曲げ部分）
Ｌ  折り曲げ溝
Ｒ、Ｓ  方向
Ｓ１  収納空間
【図１】
0003199651.tif 000003
【図２】
0003199651.tif 000004
【図３】
0003199651.tif 000005
【図４】
0003199651.tif 000006
【図５】
0003199651.tif 000007